(57)【要約】【課題】ユーザが、複数の情報提供源からの渋滞情報を確認することができること。【解決手段】コンピュータ３０は、表示部４０において、複数の情報提供源からの渋滞情報が受信されたとき、情報提供源が識別できる態様で、複数の渋滞情報をともに道路地図上に表示することができる。具体的には、例えば、光ビーコン及びＦＭ多重放送からの渋滞情報が受信されたとき、光ビーコンとＦＭ多重放送とが識別できる態様で、光ビーコンの渋滞情報及びＦＭ多重放送の渋滞情報をともに道路地図上に表示することができる。これにより、ユーザが、複数の情報提供源からの渋滞情報を確認することができる。【選択図】              図３
2006292691.tif 000002
【特許請求の範囲】
【請求項１】
表示部と、
道路地図を表示するための地図データを記憶するデータ記憶手段と、
複数の情報提供源からの渋滞情報を受信する受信手段と、
前記地図データに基づいて、前記表示部に道路地図を表示するとともに、前記複数の情報提供源からの渋滞情報が受信されたとき、情報提供源が識別できる態様で、複数の渋滞情報をともに前記道路地図上に表示する表示制御手段とを備えることを特徴とする車載ナビゲーション装置。
【請求項２】
前記表示制御手段は、前記複数の渋滞情報に該当する道路に沿って、情報提供源に応じた異なる位置に複数の渋滞情報を表示することを特徴とする請求項１に記載の車載ナビゲーション装置。
【請求項３】
前記表示制御手段は、前記複数の渋滞情報として、渋滞の程度に応じて変化する複数の線分を前記道路に沿って表示することを特徴とする請求項２に記載の車載ナビゲーション装置。
【請求項４】
前記表示制御手段は、前記情報提供源毎に、渋滞情報を表示するための線分の形状を異ならせることを特徴とする請求項３に記載の車載ナビゲーション装置。
【請求項５】
前記表示制御手段は、前記複数の線分の形状として、当該複数の線分の線幅、線種、及び線形の少なくともいずれか１つを異ならせることを特徴とする請求項４に記載の車載ナビゲーション装置。
【請求項６】
前記表示制御手段は、各情報提供源及び各渋滞の程度に応じて、前記複数の線分の表示色を異ならせることを特徴とする請求項３乃至請求項５のいずれかに記載の車載ナビゲーション装置。
【請求項７】
自車両の現在位置を検出する現在位置検出手段を備え、
前記表示制御手段は、前記検出された現在位置を起点とする所定範囲に含まれる道路に関して、前記複数の渋滞情報を表示することを特徴とする請求項１乃至請求項６のいずれかに記載の車載ナビゲーション装置。
【請求項８】
自車両の位置及び進行方向を検出する位置及び進行方向検出手段と、
前記道路地図及び前記自車両の位置及び進行方向に基づいて、自車両が走行している車両走行道路における進行方向車線を特定する特定手段とを備え、
前記表示制御手段は、前記特定された車両走行道路における進行方向車線に関して、前記複数の渋滞情報を表示することを特徴とする請求項１乃至請求項６のいずれかに記載の車載ナビゲーション装置。
【請求項９】
前記地図データを用いて自車両を目的地に案内するための案内経路を探索する案内経路探索手段を備え、
前記表示制御手段は、前記案内経路における進行方向車線に関して、前記複数の渋滞情報を表示することを特徴とする請求項１乃至請求項６のいずれかに記載の車載ナビゲーション装置。
【請求項１０】
前記表示制御手段は、同一の道路に関して、複数の渋滞情報の渋滞の程度が異なる場合、前記複数の渋滞情報をともに表示することを特徴とする請求項１乃至請求項６のいずれかに記載の車載ナビゲーション装置。
【請求項１１】
前記道路地図の縮尺を変更する変更手段と、
前記変更された道路地図の縮尺率が所定縮尺率より小さい場合、前記表示制御手段に対して、前記複数の渋滞情報を表示することを中止させる中止手段とを備えることを特徴とする請求項１乃至請求項１０のいずれかに記載の車載ナビゲーション装置。
【請求項１２】
前記表示制御手段に、前記複数の渋滞情報を表示させるか否かを、ユーザによって選択させる選択手段を備えることを特徴とする請求項１乃至請求項１１のいずれかに記載の車載ナビゲーション装置。
【発明の詳細な説明】
【技術分野】
【０００１】
本発明は、車載ナビゲーション装置に関する。
【背景技術】
【０００２】
従来、複数の情報提供源からの交通情報の取捨選択を効果的に行なう交通情報提供装置が提案されている。（例えば、特許文献１参照。）この特許文献１に開示されている交通情報提供装置によれば、例えば、ＦＭ多重放送からの交通情報が表示部に表示されており、かつ路上ビーコンからの交通情報を受信した場合には、表示されているＦＭ多重放送からの交通情報に対して、受信した路上ビーコンからの交通情報がｎ分以上古い交通情報でないならば、ＦＭ多重放送からの交通情報に換えて路上ビーコンからの交通情報が表示部に表示される。また、路上ビーコンからの交通情報が表示部に表示されており、かつＦＭ多重放送からの交通情報を受信した場合には、表示されている路上ビーコンからの交通情報に対して、受信したＦＭ多重放送からの交通情報がｎ分以上新しい交通情報であるならば、路上ビーコンからの交通情報に換えてＦＭ多重放送からの交通情報が表示部に表示される。
【特許文献１】特開平９−１２８６８４号公報
【発明の開示】
【発明が解決しようとする課題】
【０００３】
上述した従来の装置では、例えば、ＦＭ多重放送からの交通情報として「道路Ａ」に該当する渋滞情報を受信し、かつ路上ビーコンからの交通情報として「道路Ａ」に該当する渋滞情報を受信した場合には、「道路Ａ」に該当するＦＭ多重放送からの渋滞情報または路上ビーコンからの渋滞情報のいずれか一方のみが表示部に表示されていた。このため、例えば、ユーザが「道路Ａ」に該当するＦＭ多重放送からの渋滞情報の確認を所望した場合に、表示部に表示されている「道路Ａ」に該当する渋滞情報が路上ビーコンからのものであったときには、ユーザは「道路Ａ」に該当するＦＭ多重放送からの渋滞情報を確認することができなかった。
【０００４】
本発明は、上述した点に鑑みてなされたもので、ユーザが、複数の情報提供源からの渋滞情報を確認することが可能な車載ナビゲーション装置を提供することを目的とする。
【課題を解決するための手段】
【０００５】
上記目的を達成するために、請求項１に記載の車載ナビゲーション装置は、
表示部と、
道路地図を表示するための地図データを記憶するデータ記憶手段と、
複数の情報提供源からの渋滞情報を受信する受信手段と、
地図データに基づいて、表示部に道路地図を表示するとともに、複数の情報提供源からの渋滞情報が受信されたとき、情報提供源が識別できる態様で、複数の渋滞情報をともに道路地図上に表示する表示制御手段とを備えることを特徴とする。
【０００６】
上述したように、請求項１に記載の車載ナビゲーション装置は、複数の情報提供源からの渋滞情報が受信されたとき、情報提供源が識別できる態様で、複数の渋滞情報をともに道路地図上に表示することができる。具体的には、例えば、光ビーコン及びＦＭ多重放送からの渋滞情報が受信されたとき、光ビーコンとＦＭ多重放送とが識別できる態様で、光ビーコンの渋滞情報及びＦＭ多重放送の渋滞情報をともに道路地図上に表示することができる。これにより、ユーザが、複数の情報提供源からの渋滞情報を確認することができる。
【０００７】
請求項２に記載したように、表示制御手段は、複数の渋滞情報に該当する道路に沿って、情報提供源に応じた異なる位置に複数の渋滞情報を表示することが好ましい。このようにすることにより、ユーザは、複数の渋滞情報の表示位置から情報提供源を識別することができる。
【０００８】
請求項３に記載したように、表示制御手段は、複数の渋滞情報として、渋滞の程度に応じて変化する複数の線分を道路に沿って表示することが好ましい。これにより、複数の渋滞情報として、情報提供源が識別できる態様で、複数の線分を表示することができる。
【０００９】
請求項４に記載したように、表示制御手段は、情報提供源毎に、渋滞情報を表示するための線分の形状を異ならせることが好ましい。このように、複数の線分の形状を異ならせることによって、ユーザは情報提供源を識別できる。
【００１０】
請求項５に記載したように、表示制御手段は、複数の線分の形状として、複数の線分の線幅、線種、及び線形の少なくともいずれか１つを異ならせることが好ましい。このように、複数の線分の線幅、線種、及び線形の少なくともいずれか１つを異ならせることによって、複数の線分の形状を異ならせることができる。
【００１１】
請求項６に記載したように、表示制御手段は、各情報提供源及び各渋滞の程度に応じて、複数の線分の表示色を異ならせることが好ましい。このように、各情報提供源及び各渋滞の程度に応じて、複数の線分の表示色を異ならせることによって、ユーザは情報提供源を識別できる。
【００１２】
請求項７に記載したように、自車両の現在位置を検出する現在位置検出手段を備え、表示制御手段は、検出された現在位置を起点とする所定範囲に含まれる道路に関して、複数の渋滞情報を表示することもできる。現在位置を起点とする所定範囲に含まれる道路に関して、複数の渋滞情報が道路地図上に表示されれば十分であるためである。
【００１３】
請求項８に記載したように、自車両の位置及び進行方向を検出する位置及び進行方向検出手段と、道路地図及び自車両の位置及び進行方向に基づいて、自車両が走行している車両走行道路における進行方向車線を特定する特定手段とを備え、表示制御手段は、特定された車両走行道路における進行方向車線に関して、複数の渋滞情報を表示することもできる。自車両が走行している車両走行道路における進行方向車線に関して、複数の渋滞情報が道路地図上に表示されれば十分であるためである。
【００１４】
請求項９に記載したように、地図データを用いて自車両を目的地に案内するための案内経路を探索する案内経路探索手段を備え、表示制御手段は、案内経路における進行方向車線に関して、複数の渋滞情報を表示することもできる。案内経路における進行方向車線に関して、複数の渋滞情報が道路地図上に表示されれば十分であるためである。
【００１５】
請求項１０に記載したように、表示制御手段は、同一の道路に関して、複数の渋滞情報の渋滞の程度が異なる場合、複数の渋滞情報をともに表示することもできる。同一の道路に関して、複数の渋滞情報の渋滞の程度が異なる場合に限り、複数の渋滞情報がともに道路地図上に表示されれば十分であるためである。
【００１６】
請求項１１に記載したように、道路地図の縮尺を変更する変更手段と、変更された道路地図の縮尺率が所定縮尺率より小さい場合、表示制御手段に対して、複数の渋滞情報を表示することを中止させる中止手段とを備えることもできる。道路地図の縮尺率が小さくなれば、道路地図上に表示されている複数の渋滞情報が重なる可能性が高くなるため、道路地図の縮尺率が所定縮尺率より小さい場合、複数の渋滞情報を道路地図上に表示することを中止させる。
【００１７】
請求項１２に記載したように、表示制御手段に、複数の渋滞情報を表示させるか否かを、ユーザによって選択させる選択手段を備えても良い。これにより、ユーザは、複数の渋滞情報を表示させるか否かを選択することができる。
【発明を実施するための最良の形態】
【００１８】
以下、本発明の好ましい実施形態について図面を参照して説明する。図１は、本実施形態による車載ナビゲーション装置１００の概略構成を示すブロック図である。以下、本実施形態による車載ナビゲーション装置について詳細に説明する。
【００１９】
ナビゲーション装置１００は、位置検出器１０、デジタル道路地図データベース２０、コンピュータ３０、表示部４０、操作スイッチ群５０、音声出力部６０、音声入力部７０、ＶＩＣＳ受信機８０、第１の記憶装置９０、及び第２の記憶装置９１を備えている。
【００２０】
コンピュータ３０は、内部には周知のＣＰＵ、ＲＯＭ、ＲＡＭ、第１乃至第３のＥＥＰＲＯＭ、Ｉ／Ｏ及びこれらの構成を接続するバスラインを備えている。ＲＯＭには、コンピュータ３０が実行するためのプログラムが書き込まれており、このプログラムに従ってＣＰＵ等が所定の演算処理を実行する。
【００２１】
位置検出器１０は、衛星からの電波に基づいて車両の位置を測定するグローバルポジショニングシステム（ＧＰＳ）のためのＧＰＳ受信機１１、車両の絶対方位を検出するための地磁気センサ１２、車両の相対方位を検出するためのステアリングセンサ１３を有している。さらに、位置検出器１０は、車両の走行速度から走行距離を検出するために車速センサ１４を備えている。
【００２２】
このように、位置検出器１０は、電波航法による車両位置測定のためにＧＰＳ受信機１１を有するとともに、自立航法による車両位置推定のために地磁気センサ１２、ステアリングセンサ１３及び車速センサ１４を有している。また、電波航法としては、ＧＰＳに限らず、例えばＶＩＣＳの光ビーコンを利用しても良い。また、自立航法における車両の相対方位を検出するために、ステアリングセンサ１３に代えて、ジャイロセンサや車両の左右輪に設けられた車輪速センサを用いても良い。
【００２３】
デジタル道路地図データベース２０は、道路データ、背景データ、文字データ及び施設データなどを含むデジタル地図データをコンピュータ３０に入力するための装置である。デジタル道路地図データベース２０は、デジタル地図データを記憶する情報記憶媒体２１を有し、情報記憶媒体２１としては、そのデータ量からＣＤ−ＲＯＭまたはＤＶＤ−ＲＯＭを用いるのが一般的であるが、メモリカード、ハードディスク等を用いてもよい。
【００２４】
ここで、道路データの構成について説明する。道路データは、道路毎に固有の番号を付したリンクＩＤ、リンク座標データ、ノード座標データ、高速道路や国道等の道路種別を示す道路種別データ、道路幅員データ等の各データから構成されている。道路データにおけるリンクとは、地図上の各道路を、交差点、分岐点などを示すノードにより複数に分割し、そして２つのノード間をリンクとして規定したものである。そして、リンク座標データには、このリンクの始端と終端の座標が記述される。なお、リンクの途中にノードが含まれる場合には、ノード座標データにノード座標が記述される。この道路データは、地図を表示する以外に、マップマッチング処理を行なう際の道路の形状を与えるために用いられたり、目的地までの案内経路を検索する際に用いられる。
【００２５】
背景データは、道路地図を表示部４０に表示する際に、道路以外の表示対象となる施設形状、自然地形等を表示するためのデータである。文字データは、地名、施設名、道路名等を道路地図上に表示するためのものであり、表示位置に対応する地図上の座標を関連付けたデータとして構成している。
【００２６】
表示部４０は、例えば、液晶ディスプレイによって構成され、表示部４０の画面には車両の現在位置に対応する自車位置マーク、及び、デジタル道路地図データベース２０より入力された地図データによって生成される車両周辺の道路地図を表示することができる。また、目的地が設定された場合、道路地図上には、現在位置から目的地までの案内経路が重ねて表示される。
【００２７】
操作スイッチ群５０は、例えば、表示部４０と一体になったタッチパネルスイッチもしくは表示部４０の周辺に設けられるメカニカルなスイッチ等からなり、各種入力に使用される。
【００２８】
音声出力部６０はスピーカ等からなり、経路案内が行なわれている場合に、案内音声を出力したり、音声認識時に、入力音声に関するガイダンスを出力したりするものである。また、音声入力部７０は、マイク等からなり、ユーザによって発せられた音声を取り込んで、コンピュータ３０に入力する。コンピュータ３０は、入力された音声の認識処理を行い、その認識結果に基づいて、各種の制御を実行する。
【００２９】
ＶＩＣＳ受信機８０は、各地のＦＭ放送局を介して、ＶＩＣＳセンタから配信される渋滞情報等の道路交通情報を受信するＦＭ多重受信機８１、主に一般道路に敷設された光ビーコンを介して、ＶＩＣＳセンタから配信される渋滞情報等の道路交通情報を受信する光ビーコン受信機８２、主に高速道路に敷設された電波ビーコンを介して、ＶＩＣＳセンタから配信される渋滞情報等の道路交通情報を受信する電波ビーコン受信機８３を備えている。また、ＶＩＣＳ受信機８０は、受信した道路交通情報をコンピュータ３０に出力する。
【００３０】
なお、本実施形態では、ＦＭ多重受信機８１、光ビーコン受信機８２、及び電波ビーコン受信機８３によって受信された渋滞情報を、以後、第１の渋滞情報、第２の渋滞情報、及び第３の渋滞情報と呼ぶ。
【００３１】
渋滞情報には、インフラリンク、車線識別情報、及び渋滞の程度などが含まれる。インフラリンクとは、インフラ側から提供される道路に関する情報を効率的に処理するための位置表現用のリンクである。このインフラリンクとリンクＩＤとの対応関係を定義するテーブルは、後述する第１の記憶装置９０に記憶されている。
【００３２】
車線識別情報とは、上述したインフラリンクに該当する道路における、上り車線に関する渋滞情報または下り車線に関する渋滞情報であるかを識別するための情報である。具体的には、例えば、上り車線に関する渋滞情報である場合、車線識別情報は「１」であり、下り車線に関する渋滞情報である場合、車線識別情報は「０」である。また、渋滞の程度については、「渋滞」、「混雑」、「渋滞なし」、及び「不明」の４つに区分されている。
【００３３】
第１の記憶装置９０には、インフラリンク、及び当該インフラリンクに対応するリンクＩＤが記憶されている。例えば、第１の記憶装置９０は、図４の例に示すように、インフラリンク毎に、当該インフラリンクに対応するリンクＩＤを示すテーブルを記憶している。
【００３４】
第２の記憶装置９１には、ＶＩＣＳ受信機８０によって受信された第１乃至第３の渋滞情報を道路地図上に表示するためのものであり、第１乃至第３の渋滞情報の情報提供源を識別できる態様で、第１乃至第３の渋滞情報を示す第１乃至第３の線分として、第１乃至第３の矢印画像が記憶されている。これにより、第１乃至第３の渋滞情報として、情報提供源が識別できる態様で、第１乃至第３の矢印画像を表示することができる。
【００３５】
具体的には、情報提供源が識別できる態様として、第１乃至第３の矢印画像の形状を異ならせる。このように、第１乃至第３の矢印画像の形状を異ならせることによって、ユーザは情報提供源を識別できる。具体的な例として、図５に示すように、第１乃至第３の矢印画像の形状として、第１乃至第３の矢印画像の線幅、線種、及び線形の少なくともいずれか１つを異ならせる。このように、第１乃至第３の矢印画像の線幅、線種、及び線形の少なくともいずれか１つを異ならせることによって、第１乃至第３の矢印画像の形状を異ならせることができる。
【００３６】
また、情報提供源が識別できる態様として、再度、図５の例に示すように、各情報提供源及び各渋滞の程度に応じて第１乃至第３の矢印画像の表示色を異ならせる。このように、各情報提供源及び各渋滞の程度に応じて、第１乃至第３の矢印画像の表示色を異ならせることによって、ユーザは情報提供源を識別できる。
【００３７】
このように、第２の記憶装置９１には、情報提供源に応じて形状が異なり、かつ各情報提供源及び各渋滞の程度に応じて表示色が異なる第１乃至第３の矢印画像が記憶されている。
【００３８】
また、本実施形態の車載ナビゲーション装置１００は、操作スイッチ群５０もしくは音声認識によって目的地の位置が入力されると、現在位置からその目的地までの最適な経路を自動的に選択して案内経路を形成し表示する、いわゆる経路案内機能も備えている。このような自動的に最適な経路を設定する手法は、周知のダイクストラ法等の手法が知られている。また、ユーザによって入力された、例えば、住所、施設名称、電話番号等から施設等の位置を検索する検索機能も備えている。
【００３９】
これらの機能は、主にコンピュータ３０によって各種の演算処理がなされることによって実行される。すなわち、コンピュータ３０は目的地が入力されるとデジタル道路地図データベース２０の地図データを用いて経路を計算し、その経路を表示する。この他、コンピュータ３０は、車両の位置を示す自車位置マークとその周辺の道路地図を表示部４０に表示させたり、道路地図の縮尺を変更したりする。
【００４０】
次に、本実施形態における表示制御処理について、図２のフローチャートを用いて詳細に説明する。なお、図２は、表示制御処理を示すフローチャートである。なお、具体的な例として、自車両が一般道路を走行しており、ＶＩＣＳ受信機８０が第１の渋滞情報及び第２の渋滞情報を受信可能な場合を想定して説明を進める。
【００４１】
まず、図２のステップＳ１０では、自車両の現在位置を検出する。このとき、ＧＰＳ受信機１１による位置データは、上述の道路データの座標データ（緯度と経度）と同じ形態で取得される。また、地磁気センサ１２、ステアリングセンサ１３、車速センサ１４によって自車両の進行方向及び走行距離に関するデータが取得され、過去に算出、もしくは確定された車両位置を基準として、現在位置の座標データの算出を行なう（自立航法による座標データの算出）。なお、現在位置は、基本的には、自立航法により算出された座標データに基づいて求められる。ただし、ＧＰＳ受信機１１による位置データが取得されている場合には、両者を比較し、その差が所定距離以上である場合には、現在位置として、ＧＰＳ受信機１１による位置データを採用する。
【００４２】
ステップＳ２０では、車両の現在位置を含む、周辺地図の地図データがデジタル道路地図データベース２０から読み込まれ、表示部４０に表示される。そして、表示部４０に表示された道路地図上の全ての道路に対応するリンクＩＤが、コンピュータ３０のＲＡＭに記憶される。なお、ステップＳ１０にて検出された現在位置の変化、及び道路地図の縮尺の変更などによって、道路地図が更新された場合、コンピュータ３０は、ＲＡＭに記憶されている全てのリンクＩＤを消去し、更新された道路地図上の全ての道路に対応するリンクＩＤをＲＡＭに記憶する。
【００４３】
ステップＳ３０では、第１の渋滞情報を受信したか否かを判定する。具体的には、例えば、ＦＭ多重受信機８１から、第１の渋滞情報がコンピュータ３０に入力されたか否かを判定する。第１の渋滞情報がコンピュータ３０に入力されたと判定された場合、ステップＳ４０に進む。
【００４４】
ステップＳ４０では、コンピュータ３０は、第１の渋滞情報を、コンピュータ３０の第１のＥＥＰＲＯＭに記憶する。具体的には、例えば、コンピュータ３０は、第１の記憶装置９０から、第１の渋滞情報に含まれているインフラリンクに対応するリンクＩＤを抽出する。そして、コンピュータ３０は、図６の例に示すように、抽出されたリンクＩＤと、このリンクＩＤと車線識別情報及び渋滞の程度とがそれぞれ一対一に対応するように第１のＥＥＰＲＯＭに記憶する。
【００４５】
ステップＳ３０において、第１の渋滞情報がコンピュータ３０に入力されていないと判定された場合、ステップＳ５０に進む。
【００４６】
ステップＳ５０では、表示部４０に表示されている道路地図上の道路に該当する第１の渋滞情報があるか否かを判定する。具体的には、例えば、コンピュータ３０は、ＲＡＭに記憶されているリンクＩＤと、第１のＥＥＰＲＯＭに記憶されているリンクＩＤとを照合し、ＲＡＭ及び第１のＥＥＰＲＯＭにおいて、同一のリンクＩＤが記憶されているか否かを判定する。同一のリンクＩＤが記憶されていると判定された場合、ステップＳ６０に進む。
【００４７】
ステップＳ６０では、コンピュータ３０は、第２の記憶装置９１から、道路地図上に第１の渋滞情報を表示するための第１の矢印画像を抽出する。具体的には、例えば、まず、コンピュータ３０は、第１のＥＥＰＲＯＭから、ステップＳ５０にて同一であると判定されたリンクＩＤに対応する渋滞の程度を抽出する。次に、コンピュータ３０は、第２の記憶装置９１から、抽出された渋滞の程度に該当する表示色の第１の矢印画像を抽出する。
【００４８】
ステップＳ７０では、第１の矢印画像が道路地図上に表示される。具体的には、例えば、コンピュータ３０は、ステップＳ５０にて同一であると判定されたリンクＩＤ及び車線識別情報に該当する道路における車線に沿って、ステップＳ６０にて抽出された第１の矢印画像を道路地図上に表示する。
【００４９】
ステップＳ５０において、同一のリンクＩＤが記憶されていないと判定された場合、ステップＳ８０に進む。
【００５０】
ステップＳ８０では、第２の渋滞情報を受信したか否かを判定する。具体的には、例えば、光ビーコン受信機８２から、第２の渋滞情報がコンピュータ３０に入力されたか否かを判定する。第２の渋滞情報がコンピュータ３０に入力されたと判定された場合、ステップＳ９０に進む。
【００５１】
ステップＳ９０では、ステップＳ４０と同様にして、コンピュータ３０は、第２の渋滞情報を、コンピュータ３０の第２のＥＥＰＲＯＭに記憶する。ステップＳ８０において、第２の渋滞情報がコンピュータ３０に入力されていないと判定された場合、ステップＳ１００に進む。
【００５２】
ステップＳ１００では、表示部４０に表示されている道路地図上の道路に該当する第２の渋滞情報があるか否かを判定する。具体的には、ステップＳ５０と同様にして、コンピュータ３０は、ＲＡＭに記憶されているリンクＩＤと、第２のＥＥＰＲＯＭに記憶されているリンクＩＤとを照合し、ＲＡＭ及び第２のＥＥＰＲＯＭにおいて、同一のリンクＩＤが記憶されているか否かを判定する。同一のリンクＩＤが記憶されていると判定された場合、ステップＳ１１０に進む。
【００５３】
ステップＳ１１０では、ステップＳ６０と同様にして、コンピュータ３０は、第２の記憶装置９１から、道路地図上に第２の渋滞情報を表示するための第２の矢印画像を抽出する。
【００５４】
ステップＳ１２０では、第２の矢印画像が道路地図上に表示される。具体的には、コンピュータ３０は、図３の例に示すように、ステップＳ１００にて同一であると判定されたリンクＩＤ及び車線識別情報に該当する道路における車線において、当該車線に該当する第１の矢印画像に沿って、第２の矢印画像を道路地図上に表示する。このように、第１及び第２の矢印画像に該当する道路における車線に沿って、情報提供源に応じた異なる位置に第１及び第２の矢印画像を表示することによって、ユーザは、第１及び第２の矢印画像の表示位置から情報提供源を識別することができる。
【００５５】
ステップＳ１００において、同一のリンクＩＤが記憶されていないと判定された場合、ステップＳ１０に戻る。
【００５６】
なお、ｎ（ｎ＞０）個の情報提供源からの渋滞情報をＶＩＣＳ受信機８０が受信可能な場合であっても、本実施形態における表示制御処理を実行することができる。具体的には、まず、第２の記憶装置９１には、情報提供源が識別できる態様で、第１乃至第ｎの渋滞情報を示す第１乃至第ｎの矢印画像が記憶される。そして、ＶＩＣＳ受信機８０によって第１乃至第ｎの渋滞情報が受信された場合、コンピュータ３０は、第２の記憶装置９１から、当該第１乃至第ｎの渋滞情報に含まれている渋滞の程度に該当する表示色の第１乃至第ｎの矢印画像を抽出する。そして、コンピュータ３０は、当該第１乃至第ｎの渋滞情報に該当する道路における車線において、当該車線に該当する第（ｎ−１）の矢印画像に沿って、第ｎの矢印画像を道路地図上に表示する。このようにすることにより、情報提供源の数が増えても、ユーザは、第１乃至第ｎの矢印画像の表示位置から情報提供源を識別することができる。
【００５７】
以上、説明したように本実施形態によれば、複数の情報提供源からの第１及び第２の渋滞情報が受信されたとき、情報提供源が識別できる態様で、第１及び第２の渋滞情報を示す第１及び第２の矢印画像をともに道路地図上に表示することができるようにした。これにより、ユーザが、複数の情報提供源からの渋滞情報を確認することができる。
【００５８】
なお、本発明は、上述した実施形態になんら制限されることなく、本発明の主旨を逸脱しない範囲において、種々変形して実施することができる。
【００５９】
例えば、上述した実施形態において、道路地図上の全ての道路に関して、第１及び第２の矢印画像をともに道路地図上に表示する例について説明した。しかしながら、（ステップＳ１０にて）検出された現在位置を起点とする所定範囲（例えば、半径１００ｍ内）に含まれる道路に関して、第１及び第２の矢印画像が道路地図上に表示されても良い。現在位置を起点とする所定範囲に含まれる道路に関して、第１及び第２の矢印画像が道路地図上に表示されれば十分であるためである。
【００６０】
また、例えば、位置検出器１０によって検出された現在位置を含む所定期間における走行軌跡に基づいて、デジタル道路地図データベース２０のデジタル地図データから、自車両が走行している車両走行道路における進行方向車線が特定され、この特定された進行方向車線に関して、第１及び第２の矢印画像が道路地図上に表示されても良い。自車両が走行している車両走行道路における進行方向車線に関して、第１及び第２の矢印画像が道路地図上に表示されれば十分であるためである。
【００６１】
さらに、例えば、案内経路が探索された場合、探索された案内経路における進行方向車線に関して、第１及び第２の矢印画像が道路地図上に表示されても良い。案内経路における進行方向車線に関して、第１及び第２の矢印画像が道路地図上に表示されれば十分であるためである。
【００６２】
また、例えば、同一の道路に関して、第１及び第２の渋滞情報の渋滞の程度が異なる場合に限り、第１及び第２の矢印画像がともに道路地図上に表示されても良い。同一の道路に関して、第１及び第２の渋滞情報の渋滞の程度が異なる場合に限り、第１及び第２の矢印画像がともに道路地図上に表示されれば十分であるためである。
【００６３】
また、上述した実施形態では、常時、第１及び第２の矢印画像がともに表示される例について説明した。しかしながら、道路地図の縮尺が変更された場合、変更された道路地図の縮尺率が所定縮尺率より小さい場合、第１及び第２の矢印画像を道路地図上に表示することを中止しても良い。道路地図の縮尺率が小さくなれば、道路地図上に表示されている第１及び第２の矢印画像が重なる可能性が高くなるため、道路地図の縮尺率が所定縮尺率より小さい場合、第１及び第２の矢印画像をともに道路地図上に表示することを中止させる。なお、第１及び第２の矢印画像を道路地図上に表示することが中止された場合、第１及び第２の矢印画像のいずれかが道路地図上に表示される。
【００６４】
また、例えば、第１及び第２の矢印画像を表示させるか否かを、ユーザによって選択させても良い。これにより、ユーザは、第１及び第２の矢印画像を道路地図上に表示させるか否かを選択することができる。なお、ユーザによって、第１及び第２の矢印画像を表示させないと選択された場合、第１及び第２の矢印画像のいずれかが道路地図上に表示される。
【図面の簡単な説明】
【００６５】
【図１】本実施形態による車載ナビゲーション装置１００の概略構成を示すブロック図である。
【図２】本実施形態における、表示制御処理を示すフローチャートである。
【図３】本実施形態における、第１及び第２の矢印画像の表示例を示すイメージ図である。
【図４】本実施形態における、第１の記憶装置９０の構成を、具体例を用いて説明するための説明図である
【図５】本実施形態における、第１乃至第３の矢印画像の形状及び表示色を、具体例を用いて説明するための説明図である。
【図６】本実施形態における、第１のＥＥＰＲＯＭの構成を、具体例を用いて説明するための説明図である
【符号の説明】
【００６６】
１０…位置検出器
１１…ＧＰＳ受信機
１２…地磁気センサ
１３…ステアリングセンサ
１４…車速センサ
２０…デジタル道路地図データベース
２１…情報記録媒体
３０…コンピュータ
４０…表示部
５０…操作スイッチ群
６０…音声出力部
７０…音声入力部
８０…ＶＩＣＳ受信機
８１…ＦＭ多重受信機
８２…光ビーコン受信機
８３…電波ビーコン受信機
９０…第１の記憶装置
９１…第２の記憶装置
【図１】
2006292691.tif 000003
【図２】
2006292691.tif 000004
【図３】
2006292691.tif 000005
【図４】
2006292691.tif 000006
【図５】
2006292691.tif 000007
【図６】
2006292691.tif 000008